(57)【要約】【課題】太巻きロール紙から小分けロール紙を簡便且つ廉価に作製することができるロール紙小分け装置を提供すること。【解決手段】モータ１２により駆動される回転軸２０と、太巻きロール紙ＦＲが回転自在に装着される回転軸２６と、小分けロール紙ＴＲの巻厚を検出するセンサー２２と、回転軸２０の回転に伴って回転することにより、太巻きロール紙ＦＲからロール紙を巻き取り、小分けロール紙ＴＲが得られる巻取ドラムＷＤとを設ける。【選択図】図１
2005194008.tif 000002
【特許請求の範囲】
【請求項１】
太巻きロール紙からロール紙を小分けして、小分けロール紙を作製するロール紙小分け装置であって、
モータその他の駆動手段により駆動される回転手段と、
前記太巻きロール紙が回転自在に装着される装着手段と、
前記小分けロール紙の巻厚を検出する検出手段と、
前記回転手段に装着される巻取手段であって、当該回転手段の回転に伴って回転することにより、前記太巻きロール紙から前記ロール紙を巻き取る巻取手段と、を備えたことを特徴とするロール紙小分け装置。
【請求項２】
更に、前記巻厚を表示する表示手段を備えたことを特徴とする請求項１に記載のロール紙小分け装置。
【請求項３】
更に、前記小分けロール紙のロール紙幅を補整する補整手段を備えたことを特徴とする請求項１又は２に記載のロール紙小分け装置。
【請求項４】
前記巻取手段の内周断面形状は、多角形状であることを特徴とする請求項１から３のいずれかに記載のロール紙小分け装置。
【請求項５】
前記巻取手段の外周面は、ゴムにより形成されていることを特徴とする請求項１から４のいずれかに記載のロール紙小分け装置。
【請求項６】
前記巻取手段の外周面は、滑止手段が形成されていることを特徴とする請求項１から５のいずれかに記載のロール紙小分け装置。
【請求項７】
太巻きロール紙からロール紙を小分けして、小分けロール紙を作製するロール紙小分け装置であって、
モータその他の駆動手段により駆動される回転手段と、
前記太巻きロール紙が回転自在に装着される装着手段と、
前記ロール紙をその長手方向に沿って切断する切断手段と、を備えたことを特徴とするロール紙小分け装置。
【発明の詳細な説明】
【技術分野】
【０００１】
本発明は、ロール紙小分け装置に関し、更に詳しくは、太巻きロール紙を、医療用測定機器その他の機器で取り扱われる各種データの記録紙として用いられる小分けロール紙に小分けするロール紙小分け装置に関するものである。
【背景技術】
【０００２】
医療用測定機器を用いて行った各種検査結果データや、携帯電話で送受信される各種コンテンツは、当該測定機器や当該携帯電話のプリンターに装着される少量ロール紙に印字・記録される。この小量ロール紙は、そのロール紙幅とその巻厚とが測定機器毎に決まっており、ロール紙幅約３ｃｍ〜８ｃｍ、巻厚直径約１ｃｍ〜７ｃｍ（小量ロール紙の長さに換算して１ｍ〜５ｍ）程度の大きさである。
【０００３】
この少量ロール紙は、各々の測定機器専用のものとして販売されているものもあるが、ロール紙そのものの分量が少ないにもかかわらずコストがかかるという問題がある。このことは、小量ロール紙とロール紙幅が同じ太巻きロール紙１本は、分量にすると３個〜５個分の小量ロール紙に相当するが、コスト的にはその３個〜５個分の少量ロール紙の値段に対して約２０分の１ですむことから推察される。そのため、医療機関における各種測定結果の印刷時や、携帯電話で送受信される各種コンテンツの印刷時においては、通常は、分量が少ない小量ロール紙をやむを得ず高い値段で購入し、使用していることが行われている。
【０００４】
また、ロール紙に関連する技術としては、例えば、特許文献１〜３に開示された技術が周知である。特許文献１には、ロール紙の紙梱包の回収を自動化する技術が開示され、特許文献２には、ロール材から上面視で円形状のシートを連続して切断する技術が開示され、特許文献３には、トイレットペーパーやキッチンペーパー等のロール紙の保持具に関する技術が開示されている。
【０００５】
【特許文献１】特開２００３−２７６７１６号公報
【特許文献２】特開２００３−２７５９９５号公報
【特許文献３】特開平８−１４０８８９号公報
【発明の開示】
【発明が解決しようとする課題】
【０００６】
そこで、太巻きロール紙を手作業で小量ロール紙に小分けすることも考えられるがこれは手間がかかるという問題がある。また、特許文献１〜３には確かにロール紙に関する技術が開示されているが、太巻きロール紙を小分けするものではない。すなわち、従来は、太巻きロール紙を手軽に小分けすることができる装置がないという問題があった。
本発明は、このような従来の問題点を解決するためになされたものであり、太巻きロール紙から簡便且つ廉価にロール紙を小分けし、小分けロール紙を作製することができるロール紙小分け装置を提供することにある。
【課題を解決するための手段】
【０００７】
上記課題を解決するために、本発明に係る請求項１に記載のロール紙小分け装置は、太巻きロール紙からロール紙を小分けして、小分けロール紙を作製するロール紙小分け装置であって、モータその他の駆動手段により駆動される回転手段と、前記太巻きロール紙が回転自在に装着される装着手段と、前記小分けロール紙の巻厚を検出する検出手段と、前記回転手段に装着される巻取手段であって、当該回転手段の回転に伴って回転することにより、前記太巻きロール紙から前記ロール紙を巻き取る巻取手段と、を備えたことを要旨とするものである。
【０００８】
この場合に、請求項２に記載されるように、更に、前記巻厚を表示する表示手段を備えることができる。
【０００９】
この場合に、請求項３に記載されるように、更に、前記小分けロール紙のロール紙幅を補整する補整手段を備えることができる。
【００１０】
この場合に、請求項４に記載されるように、前記巻取手段の内周断面形状は、多角形状であることが望ましい。
【００１１】
この場合に、請求項５に記載されるように、前記巻取手段の外周面は、ゴムにより形成されていることが望ましい。
【００１２】
この場合に、請求項６に記載されるように、前記巻取手段の外周面は、滑止手段が形成されていることが望ましい。
【００１３】
また、本発明に係る請求項７に記載のロール紙小分け装置のように、前記ロール紙をその長手方向に沿って切断する切断手段を備えることもできる。
【００１４】
上記構成を備えた本発明に係るロール紙小分け装置は、装着手段に太巻きロール紙が回転自在に装着され、回転手段に巻取手段が装着される。そして、太巻きロール紙の端部が巻取手段に外れないように巻きつけられた後、回転手段がモータにより駆動される。この駆動は、回転手段を介して巻取手段を回転させるため、巻取手段は、太巻きロール紙からロール紙を巻き取り、小分けロール紙が作製される。検出手段は、小分けロール紙の巻厚を検出するので、これを利用して所定の巻厚になったところで、駆動手段による駆動を停止させることができる。
【発明の効果】
【００１５】
本発明に係るロール紙小分け装置は、モータその他の駆動手段により駆動される回転手段と、前記太巻きロール紙が回転自在に装着される装着手段と、前記小分けロール紙の巻厚を検出する検出手段と、前記回転手段に装着される巻取手段であって、当該回転手段の回転に伴って回転することにより、前記太巻きロール紙から前記ロール紙を巻き取る巻取手段とを備えたものであるから、太巻きロールを装着手段に装着し、巻取手段を回転手段に装着して、駆動手段を駆動させるという簡便な手法で、太巻きロール紙を小分けロール紙に小分けすることができるという効果がある。
【００１６】
また、本発明に係るロール紙小分け装置は、上記構成を備えたため廉価に製造することができるという効果がある。更に、該ロール紙小分け装置に若干コストがかかっても、そのコストをすぐに取り返すことができ、太巻きロール紙を廉価に小分けすることができるという効果がある。
【発明を実施するための最良の形態】
【００１７】
本発明の一実施形態に係るロール紙小分け装置は、ロール紙を太巻きロール紙から小分けロール紙に簡便且つ廉価に小分けするという目的を、ロール紙の巻取時のずれを起こすことなく実現するものである。また、ロール紙小分け装置は、小分けロール紙を何個も購入するよりも低コストを実現するものである。
以下、図面を参照して本発明を実施するための最良の形態について実施例に分けて説明する。
【実施例１】
【００１８】
図１は、本発明の第一の実施形態に係るロール紙小分け装置１０の上面図であり、図２が図１の矢示Ａ方向から見た正面図、図３が矢示Ｂ方向から見た側面図、図４が要部拡大図である。これらの図において、図１は太巻きロール紙ＦＲ、小分けロール紙ＴＲ及び巻取ドラムＷＤ並びにずれ補整板３２がロール紙小分け装置１０に装着された状態を示しているが、図２及び図３では、分かり易さのために太巻きロール紙ＦＲ，小分けロール紙ＴＲ、巻取ドラムＷＤ及びずれ補整板３２が装着されていない状態を示している。
【００１９】
これらの図に示したロール紙小分け装置１０は、太巻きロール紙ＦＲからロール紙を小分けして、小分けロール紙ＴＲを作製するものである。ロール紙小分け装置１０は、小分けロール紙ＴＲ側に配置されるモータ１２、小プーリー１４、大プーリー１６、プーリーベルト１８、回転軸２０、センサー２２と、太巻きロール紙ＦＲ側に配置される大プーリー２４、回転軸２６と、これらを支持する支持台２８、及び、動力源３０からなる。また、スイッチＳＷが設けられ、これをオンオフすることによって作動制御ができるように構成されている。
【００２０】
モータ１２は、そのシャフトが支持台２８の上面へやや突き出る態様で支持台２８の内部にモータベース３４によって取り付けられている。モータ１２のシャフトには、小径の小プーリー１４が圧入により装着されている。大径の大プーリー１６は、回転軸２０に圧入により装着されている。
【００２１】
そして、小プーリー１４と大プーリー１６とは、プーリーベルト１８によって掛け渡される。このようにして、ロール紙小分け装置１０は、モータ１２の駆動が小プーリー１４、プーリーベルト１８、大プーリー１６、及び、回転軸２０を介して、使用に際して取り付けて用いられる巻取ドラムＷＤ（このドラム上に小分けロール紙ＴＲが得られる）に伝達されるように構成されている。小プーリー１４、大プーリー１６は軽量プラスチックによって構成される。また、プーリーベルト１８はゴムからなるものが用いられる。
【００２２】
そして、ロール紙小分け装置１０は、使用に際して、回転軸２０にその上から巻取ドラムＷＤが圧入により装着される。回転軸２０は正六角形状を呈し、巻取ドラムＷＤの内周断面はその正六角形状に丁度整合する大きさであるので、巻取ドラムＷＤは回転軸２０への装着により、回転軸２０と一体となる。また、太巻きロール紙ＦＲが回転軸２６に装着される。そして、太巻きロール紙ＦＲの端部が巻取ドラムＷＤに外れないように巻きつけられたのち、ずれ補整板３２が被せられる。この状態でモータ１２が駆動される。ずれ補整板３２により、巻き取り時のロール紙のずれが解消される。
【００２３】
ここで、図４を参照して、大プーリー１６の取り付け部分の構造を詳細に説明する。回転軸２０は、その断面の外周が正六角形状をしており、その大きさ・形状と整合させた正六角形状の孔が中心に打ち抜かれた大プーリー１６が圧入により装着される。従って、回転軸２０と大プーリー１６とは一体となり、大プーリー１６から回転軸２０へ駆動が伝達されるように構成されている。尚、図１から図３では、頭付螺子３６は省略している。
【００２４】
回転軸２０は、その内周空間が円筒状である。回転軸２０の支持台２８への取り付けは、その筒状部分に頭付螺子３６を、座金３８を介して、支持台２８の上板の所定の位置に螺子止めすることによってなされている。回転軸２０の内壁面と、頭付螺子３６の外周面との間には、大プーリー１６と回転軸２０とが一体となって自由に回転できる程度の隙間が形成される。
【００２５】
太巻きロール紙ＦＲの装着は、その中心部分を回転軸２６に挿通させることによってなされる。太巻きロール紙ＦＲは、巻取ドラムＷＤの回転に追従して回転させる必要があるが、本実施形態においては、回転軸２６は、回転軸２０とほぼ同じ構成をとる一方で（図４のプーリーベルト１８をはずしたものと同一）、駆動伝達機構を構成しないので、自由な回転が確保されている。従って、太巻きロール紙ＦＲは、回転自在な状態で装着される限り、回転軸２６に密着させて装着してもよいし、回転軸２６に対して適度な隙間を設けて装着してもよい。
【００２６】
次に、大径の大プーリー２４は、回転軸２６に圧入により装着されており、本実施例では、回転軸２６に連動して回転するように構成されている。この部分の詳細な構成は、図４に示したものと同様である。すなわち、回転軸２６は、その内周空間が円筒状であり、回転軸２６の支持台２８への取り付けは、その筒状部分に頭付螺子３６を、座金３８を介して、支持台２８の上板の所定の位置に螺子止めすることによってなされている。これにより、回転軸２６の内壁面と、頭付螺子３６の外周面との間には、大プーリー２４及び回転軸２６が一体となって自由に回転できる程度の隙間が形成される。
【００２７】
大プーリー２４の高さ位置は、大プーリー１６の高さ位置と同じである。高さを揃えたのは、大プーリー１６における小分けロール紙ＴＲの巻き取りをスムーズに行わせるためである。支持台２８は、ロール紙小分け装置１０の全体を支持する筐体である。
【００２８】
回転軸２０や回転軸２６は、軽量プラスチックや軽量金属によって構成することができ、種々の太さ・形状のものを用意しておくことで、場合によって取り替えて用いることができる。太さは、数ミリメートル〜１センチメートル程度、形状は断面視で正六角形状のものを用いているが、これに限定されることなく、太巻きロール紙ＦＲの形状との関係や、巻取ドラムＷＤとの関係から、その他の多角形状、円形状、曲線形状のものを用いることができる。
【００２９】
次に、図５（ａ）を参照して巻取ドラムＷＤについて説明する。同図に示した巻取ドラムＷＤは、軽量プラスチックからなり、回転軸２０に丁度整合する大きさ・形状を有する円筒状のものであり、断面外周が円形状、断面内周が正六角形状をしている。また、巻取ドラムＷＤの表面はゴムその他の滑り止め効果のある材料によって形成される。巻取ドラムＷＤの表面には、ゴムその他の滑り止め効果のある材料に代えて又はこれに加えて更に、細かな突起を複数個形成してもよい。尚、巻取ドラムＷＤの大きさは、円筒の直径（外径）が１．２７センチメートル程度、円筒の長さが５８ミリメートル程度である。巻取ドラムＷＤの内周空間は、市販の電動ドリルドライバーに使用するドライバーピットがぴったり入って貫通できる正六角形柱形状である。
【００３０】
次に、図１から図３に戻ってセンサー２２について説明する。センサー２２は、巻取ドラムＷＤ上に形成される小分けロール紙ＴＲが所定の厚さになったか否かを検出するものである。センサー２２は、小分けロール紙ＴＲの巻取状態に応じて図１に示す矢示Ｃの方向へ動く検出片４０ａ及びこれを支持する支持片４０ｂと、検出片４０ａの先端４０ｃを係止する係止片４２ａ及びこれを支持する支持片４２ｂとからなる。
【００３１】
検出片４０ａ及び係止片４２ａは、絶縁材料によって被覆された導電性の材料からなり、支持台２８の上面にそれぞれ支持片４０ｂ、支持片４２ｂによって取り付けられている。検出片４０ａは、支持片４０ｂに支持された状態で、ばね部材４０ｄを介して矢示Ｃ方向へ移動し又は戻り、係止片４２ａは、支持片４２ｂに支持された状態で、ばね部材４２ｄを介して矢示Ｅ方向へ移動し又は戻るように構成されている。そして、検出片先端４０ｃは、その導電部分が、係止片先端４２ｃの導電部分によって係止されている。そのため、係止片先端４２ｃは、検出片先端４０ｃを係止できるように、やや膨らませている。
【００３２】
このような構成において、センサー２２の仕組みは次のとおりである。すなわち、スイッチＳＷがオンされると、巻取ドラムＷＤの巻取動作につれて小分けロール紙ＴＲが厚くなっていく。そして、検出片４０ａは、徐々に矢示Ｃの方向へ移動する。小分けロール紙ＴＲが所定の厚さに到達し、係止片先端４２ｃが検出片先端４０ｃを係止しきれなくなると、その係止状態が解かれ、電気の供給が停止し、巻取ドラムＷＤの動作が停止する。これによって、自動的に所定の厚さの小分けロール紙ＴＲが得られる。
【００３３】
尚、スイッチＳＷは、モータ１２を制御するためのスイッチであり、図６に示したように、停止・正転・逆転に切り替わる。その電気的構成は、同図に示したとおりである。従って、巻き取りの方向は任意に決めることができる。また、動力源３０としては乾電池を用いることができる。
【００３４】
次に、図５（ｂ）及び図１を参照して、ずれ補整板３２について説明する。ずれ補整板３２は、透明のプラスチックによって形成されており、面取り長方形状その他の形状を取ることができる。ずれ補整板３２には、回転軸２０の先端と、回転軸２６の先端とが丁度入る程度の孔３２ａ、３２ｂが形成されている。ずれ補整板３２は、この孔が回転軸２０の先端、回転軸２６の先端に合わせて載置される。
【００３５】
更に、ずれ補整板３２には、小分けロール紙ＴＲの巻厚を示す目盛り３２ｃと、太巻きロール紙ＦＲの残りの巻厚を示す目盛り３２ｄとが形成されている。ユーザは、所望の巻厚になったら、スイッチＳＷを停止位置に切り替えることによって、任意の巻厚の小分けロール紙ＴＲを得ることができる。
【００３６】
次に、図７を参照してロール紙小分け装置１０がどのように太巻きロール紙ＦＲからロール紙を小分けするのかを説明する。
同図（ａ）は、巻取準備ができた状態を示している。同図（ａ）のように、回転軸２６には太巻きロール紙ＦＲが、回転軸２０には巻取ドラムＷＤが装着され、巻取ドラムＷＤには太巻きロール紙ＦＲの端部が巻きつけられている。
【００３７】
同図(ｂ)は、巻取中の状態を示しており、太巻きロール紙ＦＲからロール紙が巻取ドラムＷＤに巻き取られていく状態を示している。巻き取り動作が進み、小分けロール紙ＴＲの厚さが厚くなると、検出片４０ａに小分けロール紙ＴＲが当たるようになり、検出片４０ａを押す。一方、この間、小分けロール紙ＴＲが所望の厚さになれば、ユーザが任意にスイッチＳＷを切って巻取作業を終了させることができる。
【００３８】
同図（ｃ）は、センサー２２によって、小分けロール紙ＴＲが所定の厚さになったことが検出され、モータ１２が停止した状態を示したものである。この検出は、検出片先端４０ｃと、係止片先端４２ｃとの係止状態が解かれることによって行われる。ばね部材４０ｄ、４２ｄの付勢力を調整することで、小分けロール紙ＴＲの厚さを調節することができる。
【実施例２】
【００３９】
図８（ａ）は、本発明の第二の実施形態に係るロール紙小分け装置５０の外観構成を示した上面図であり、同図（ｂ）は、その電気的構成を示した図である。図１に示したロール紙小分け装置１０と同じ構成については符号を省略している。ロール紙小分け装置５０が、ロール紙小分け装置１０と異なるところは、モータ１３、小プーリー１５を取り付け、更にプーリーベルト１９を小プーリー１５と大プーリー２４とに掛けわたした点と、スイッチＳＷの切り替えによって、モータ１２を駆動させるか、モータ１３を駆動させるかを選択できる点にある。この第二の実施形態においては、太巻きロール紙ＦＲは、回転軸２６との関係では動きが連動するように、密着させて取り付けられる。
【００４０】
かかる構成を備えたことにより、正転作動させているときに、小分けロール紙ＴＲで巻き取りを行いすぎた場合には、逆転作動させて、モータ１３を駆動して、太巻きロール紙ＦＲ側で再度巻き取ることができる。これにより、任意の巻厚の小分けロール紙ＴＲを得ることができる。
【実施例３】
【００４１】
図９（ａ）は、本発明の第三の実施形態に係るロール紙小分け装置６０の外観斜視図であり、同図（ｂ）が巻取状態を示した外観斜視図である。ロール紙小分け装置６０は、支持台６２（側板６２ａ、側板６２ｂ、底板６２ｃ）と、回転軸６４，６６、及び、カッターＣＴ等から構成される。
【００４２】
支持台６２は、側板６２ａ，６２ｂ、底板６２ｃから構成されており、側板６２ａと側板６２ｂとを橋渡す態様で回転軸６４，６６が回転自在に取り付けられている。回転軸６４，６６は、それぞれ、凹部６４ａ，６４ｂ、凹部６６ａ，６６ｂに収容されている。回転軸６４，６６は、寸切ボルトからなり、その両端には、それぞれ、脱落防止片６８（６８ａ，６８ｂ）、脱落防止片７０（７０ａ，７０ｂ）が取り付けられている。脱落防止片６８，７０は、その外形が矢示Ｆ方向視で正六角形状をしており、その内側空間が矢示Ｆ方向視で正六角形状を呈し、電動ドリルのドライバーピットの大きさに整合する形状・奥行きを備えている。
【００４３】
脱落防止片６８ａ，６８ｂ（又は７０ａ，７０ｂ）のうちいずれかは、ゆるみ止めナットにしてもよい。ナット７２は、小分けロール紙ＴＲのずれ補整と、巻き取り位置固定のために取り付けられている。すなわち、ナット７２は、小分けロール紙ＴＲの巻き取り時にロール紙がずれないようにするためのものである。このナット７２は使用時にロール紙幅に合わせて位置が任意に調節される。
【００４４】
カッターＣＴは、側板６２ａ，６２ｂに掛け渡された支持軸７４に取り付けられており、支持軸７４上の任意の位置に固定可能である。太巻きロール紙ＦＲのロール紙幅が広いときには、カッターＣＴでロール紙をその長手方向に沿ってカットし、ロール紙幅を狭くしてから巻き取りを行うことができる。
【００４５】
ロール紙小分け装置６０は次のようにして使用することができる。図９（ｂ）に示したように、回転軸６６に太巻きロール紙ＦＲを装着させるとともに、回転軸６４にロール紙の端部を外れないように巻きつける。そして、脱落防止片６８ａに電動ドリルのドライバーピッチを差し込んで、電動ドリルを作動させて回転軸６４を回転させれば、太巻きロール紙ＦＲからロール紙を巻き取って小分けロール紙ＴＲを作製することができる。
【００４６】
また、太巻きロール紙ＦＲのロール紙幅が広い場合には、図１０に示したように、カッターＣＴにロール紙を通せば、カッターの刃がロール紙に対して垂直に当たるので、ロール紙をカットすることができる。そしてその後で、そのロール紙の端部を回転軸６４に外れないように巻きつけ、電動ドリルを用いてその軸を回転させれば所望の厚さの小分けロール紙ＴＲを作製することができる。
【００４７】
以上本発明の実施形態について説明したが、本発明は上記実施形態に限定されるものではない。実施例１では、回転軸２６を回転軸２０と同様の構成にしたが、回転軸２６に代えて支持台２８に固定される単なる支持軸を用いることができる（例えば、支持軸２６と太巻きロールＦＲとの間に隙間があれば、太巻きロールＦＲの回転が確保される）。
また、ずれ補整板３２に、目盛りを設けたが、大プーリー１６や大プーリー２４にこのような目盛りを設けてもよい。
更に、上記実施形態では、プーリーベルトを用いたが、ピニオンギアを用いたり、回転軸自体をモータで直接回転させてもよい。
【産業上の利用可能性】
【００４８】
本発明に係るロール紙小分け装置は、太巻きロール紙から小分けロール紙を簡便且つ廉価に作製することができるので、医療機関における各種検査のみならず工業試験、農業試験等の各種検査結果を記録するためのロール紙の作製に適用することができる。つまり、ロール紙を用いて印字・記録する機器が対象とするロール紙の巻厚が太巻きロール紙よりも薄い場合には、どのような機器にも適用することができる。
【図面の簡単な説明】
【００４９】
【図１】本発明の第一の実施形態に係るロール紙小分け装置１０の構成を示した上面図である。
【図２】同じくロール紙小分け装置１０の構成を示した図であり、図１の矢示Ａ方向からみた正面図である。
【図３】同じくロール紙小分け装置１０の構成を示した図であり、図１の矢示Ｂ方向からみた側面図である。
【図４】回転軸２０の取り付け部分を拡大して示した拡大断面図である。
【図５】同図（ａ）は、巻取ドラムＷＤの構成を示した図（正面図及び側面図）であり、同図（ｂ）は、ずれ補整板３２の構成を示した図である。
【図６】ロール紙小分け装置１０の電気的構成を示した模式図である。
【図７】ロール紙小分け装置１０の動作を説明するための図である。
【図８】本発明の第二の実施形態に係るロール紙小分け装置５０の構成等を示した上面図である。
【図９】本発明の第三の実施形態に係るロール紙小分け装置６０の構成等を示した斜視図である。
【図１０】カッターでロール紙をカットするときの状態を説明するための図である。
【符号の説明】
【００５０】
１０  ロール紙小分け装置
１２  モータ（駆動手段）
２０  回転軸（回転手段）
２２  センサー（検出手段）
２６  回転軸（装着手段）
ＷＤ  巻取ドラム（巻取手段）
３２  ずれ補整板（表示手段、補整手段）
【図１】
2005194008.tif 000003
【図２】
2005194008.tif 000004
【図３】
2005194008.tif 000005
【図４】
2005194008.tif 000006
【図５】
2005194008.tif 000007
【図６】
2005194008.tif 000008
【図７】
2005194008.tif 000009
【図８】
2005194008.tif 000010
【図９】
2005194008.tif 000011
【図１０】
2005194008.tif 000012